(57)【要約】【課題】  本発明は、 高出力、低不良率及び優れる長期信頼性を有する太陽電池パネルを提供する。【解決手段】  本発明の実施の形態に係る太陽電池パネルは、短縮及び長軸を有する複数の太陽電池と、前記複数の太陽電池を電気的に接続する接続部材を含む。前記複数の太陽電池は、一側に第１傾斜部を備える第１太陽電池と、他側に第２傾斜部を備える第２太陽電池を含む。前記短縮による前記第１太陽電池の第１幅と前記第２太陽電池の第２幅が互いに異なる。【選択図】  図１
2019050375.tif 000002
【特許請求の範囲】
【請求項１】
太陽電池パネルであって、
短縮及び長軸を有する複数の太陽電池と、
前記複数の太陽電池を電気的に接続する接続部材と、を備えてなり、
前記複数の太陽電池は、
一側に第１傾斜部を備える第１太陽電池と、
他側に第２傾斜部を備える第２太陽電池と、を備えてなり、
前記短縮による前記第１太陽電池の第１幅と前記第２太陽電池の第２幅とが互いに異なるものである、太陽電池パネル。
【請求項２】
前記複数の太陽電池の内、隣接した２つの太陽電池の端部が互いに重畳され、重畳部を構成し、前記重畳部において、前記隣接した２つの太陽電池の間に接続部材が位置して、前記隣接した２つの太陽電池が電気的に接続されてなり;
前記第１の太陽電池又は前記第２の太陽電池は、前記短縮に沿って並行する様につながって互いに離隔する複数のフィンガー電極を備えてなり;或いは、
前記複数の太陽電池は、前記長軸に沿った長さに対する前記短縮に沿った幅の比率が２．５乃至１２．５である、請求項１に記載の太陽電池パネル。
【請求項３】
前記複数の太陽電池は、光電変換部と、前記光電変換部に接続される電極を備えてなり、
前記第１太陽電池の前記光電変換部と前記第２太陽電池の前記光電変換部とが互いに非対称形状を有してなり、
前記複数の太陽電池の一面に形成された前記電極は、同じ形状又は構造を有するものである、請求項１又は２に記載の太陽電池パネル。
【請求項４】
前記第１太陽電池と前記第２太陽電池とが互いに非対称形状を有するものであり;
前記第２太陽電池の第２幅より前記第１太陽電池の前記第１幅がさらに小さいものであり;
前記第１太陽電池は、前記第１傾斜部が備えられてない前記第１太陽電池の他側に隣接して形成された第１バスバー電極を備えてなり、前記第２太陽電池は、前記第２傾斜部が備えられた前記他側に隣接して形成された第２バスバー電極を備えてなり;或いは、
前記第１幅に対する前記第２幅の比率が１．０１８乃至１．０５５である、請求項１〜３の何れか一項に記載の太陽電池パネル。
【請求項５】
前記第１傾斜部が備えられてない前記第１太陽電池の他側と前記第１太陽電池に形成された第１電極の他側端部との間の第１距離と前記第２太陽電池の前記他側と前記第２太陽電池に形成された第２電極の他側端部との間の第２距離が互いに異なるものであり、
前記第２太陽電池の前記第２幅よりも前記第１太陽電池の前記第１幅がより小さいものであり、
前記第２距離よりも、前記第１距離がより小さいものである、請求項１〜４の何れか一項に記載の太陽電池パネル。
【請求項６】
前記複数の太陽電池は、前記第１太陽電池及び前記第２太陽電池と他の形状を有する第３太陽電池をさらに備えてなり、
前記第３太陽電池が長方形の形状を有してなる、請求項１〜５の何れか一項に記載の太陽電池パネル。
【請求項７】
前記複数の太陽電池は、前記第１傾斜部及び第２傾斜部を備えない第３太陽電池をさらに備えてなり、
前記第３太陽電池の第３幅が、前記第１太陽電池の第１幅及び前記第２太陽電池の第２幅とそれぞれ異なるものであり、
前記第１幅が前記第２幅よりさらに小さいものであり、
前記第３幅が、前記第１幅及び前記第２幅よりさらに小さいものである、請求項１〜６の何れか一項に記載の太陽電池パネル。
【請求項８】
前記第１太陽電池の前記他側部分に第１重畳部位置し、前記第３太陽電池の一側部分が重畳され、
前記第３太陽電池の前記他側部分に第３重畳部が位置し、前記第２太陽電池の前記一側部分が重畳され、
前記第３太陽電池の前記他側と前記第３太陽電池に形成された第３電極との間の第３距離が前記第２太陽電池の前記他側と前記第２太陽電池に形成された第２電極との間の第２距離より小さいものである、請求項７に記載の太陽電池パネル。
【請求項９】
前記第１幅に対する前記第２幅の比率が１．０１８乃至１．０５５であり、
前記第３幅に対する前記第２幅の比率が１．０３６乃至１．１０５である、請求項７又は８に記載の太陽電池パネル。
【請求項１０】
短縮及び長軸を有する複数の太陽電池と、
前記複数の太陽電池を電気的に接続する接続部材と、を備えてなり、
前記複数の太陽電池は、
一側に傾斜部を備える一の太陽電池と、
傾斜部を備えない他の太陽電池と、を備えてなり、
前記短縮による前記一の太陽電池の幅と前記他の太陽電池の幅が互いに異なるものであり、
前記一の太陽電池又は前記他の太陽電池が長方形の形状を有してなり、
前記短縮による前記一の太陽電池の幅より前記他の太陽電池の幅がさらに小さいものである、太陽電池パネル。
【発明の詳細な説明】
【技術分野】
【０００１】
本発明は、太陽電池パネルに関し、さらに詳細には、構造を改善した太陽電池パネルに関する。
〔関連技術〕
本発明は、韓国特許出願第１０−２０１７−０１１５７３５号（出願日：２０１７年９月１１日）及び韓国特許出願第１０−２０１８−００８０１１６号（出願日：２０１８年７月１０日）に基づくパリ条約４条の優先権主張を伴ったものであり、当該韓国特許出願に開示された内容に基づくものである。参考のために、当該韓国特許出願の明細書及び図面の内容は本願明細書の一部に包摂されるものである。
【背景技術】
【０００２】
最近石油や石炭のような既存エネルギー資源の枯渇が予測されながらこれらを取り替える代替エネルギーに対する関心が高くなり続いている。その中でも、太陽電池は、太陽光エネルギーを電気エネルギーに変換させる次世代電池として脚光を浴びている。
【０００３】
このような太陽電池は、複数個が配線によって直列または並列に接続され、複数の太陽電池を保護するためのパッケージング（packaging）工程によって太陽電池パネルの形態で製造される。一例として、隣接する太陽電池の一部を重畳した重畳部を用いて、複数の太陽電池を接続し、太陽電池パネルを製造することができる。ところで、このような構造においては、電極または重畳部の配置によって、各太陽電池で光電変換に寄与する面積が互いに異なり電流量が互いに異なることができる。それでは、最小電流量に電流が流れるので損実される電流が生じ、これにより、太陽電池パネルの出力が低下することができる。
【発明の概要】
【発明が解決しようとする課題】
【０００４】
本発明の目的は、電流の損失を最小化して、出力を向上させることができる太陽電池パネルを提供することにある。
【課題を解決するための手段】
【０００５】
本発明の一実施の形態に係る太陽電池パネルは、短縮及び長軸を有する複数の太陽電池と、前記複数の太陽電池を電気的に接続する接続部材を含む。前記複数の太陽電池は、一側に第１傾斜部を備える第１太陽電池と、他側に第２傾斜部を備える第２太陽電池を含む。前記短縮による前記第１太陽電池の第１幅と前記第２太陽電池の第２幅が互いに異なる。
【０００６】
本発明の他の実施の形態に係る太陽電池パネルは、短縮及び長軸を有する複数の太陽電池と、前記複数の太陽電池を電気的に接続する接続部材を含む。前記複数の太陽電池は、、一側に傾斜部を備える太陽電池と、傾斜部を備えないまた別の太陽電池を含む。前記短縮による前記太陽電池の幅と前記また別の太陽電池の幅が互いに異なる。
〔本発明の一の態様〕
〔１〕
太陽電池パネルであって、
短縮及び長軸を有する複数の太陽電池と、
前記複数の太陽電池を電気的に接続する接続部材と、を備えてなり、
前記複数の太陽電池は、
一側に第１傾斜部を備える第１太陽電池と、
他側に第２傾斜部を備える第２太陽電池と、を備えてなり、
前記短縮による前記第１太陽電池の第１幅と前記第２太陽電池の第２幅とが互いに異なるものである、太陽電池パネル。
〔２〕
前記複数の太陽電池の内、隣接した２つの太陽電池の端部が互いに重畳され、重畳部を構成し、前記重畳部において、前記隣接した２つの太陽電池の間に接続部材が位置して、前記隣接した２つの太陽電池が電気的に接続されてなり;
前記第１の太陽電池又は前記第２の太陽電池は、前記短縮に沿って並行する様につながって互いに離隔する複数のフィンガー電極を備えてなり;或いは、
前記複数の太陽電池は、前記長軸に沿った長さに対する前記短縮に沿った幅の比率が２．５乃至１２．５である、〔１〕に記載の太陽電池パネル。
〔３〕
前記複数の太陽電池は、光電変換部と、前記光電変換部に接続される電極を備えてなり、
前記第１太陽電池の前記光電変換部と前記第２太陽電池の前記光電変換部とが互いに非対称形状を有してなり、
前記複数の太陽電池の一面に形成された前記電極は、同じ形状又は構造を有するものである、〔１〕又は〔２〕に記載の太陽電池パネル。
〔４〕
前記第１太陽電池と前記第２太陽電池とが互いに非対称形状を有するものであり;
前記第２太陽電池の第２幅より前記第１太陽電池の前記第１幅がさらに小さいものであり;
前記第１太陽電池は、前記第１傾斜部が備えられてない前記第１太陽電池の他側に隣接して形成された第１バスバー電極を備えてなり、前記第２太陽電池は、前記第２傾斜部が備えられた前記他側に隣接して形成された第２バスバー電極を備えてなり;或いは、
前記第１幅に対する前記第２幅の比率が１．０１８乃至１．０５５である、〔１〕〜〔３〕の何れか一項に記載の太陽電池パネル。
〔５〕
前記第１傾斜部が備えられてない前記第１太陽電池の他側と前記第１太陽電池に形成された第１電極の他側端部との間の第１距離と前記第２太陽電池の前記他側と前記第２太陽電池に形成された第２電極の他側端部との間の第２距離が互いに異なるものであり、
前記第２太陽電池の前記第２幅よりも前記第１太陽電池の前記第１幅がより小さいものであり、
前記第２距離よりも、前記第１距離がより小さいものである、〔１〕〜〔４〕の何れか一項に記載の太陽電池パネル。
〔６〕
前記複数の太陽電池は、前記第１太陽電池及び前記第２太陽電池と他の形状を有する第３太陽電池をさらに備えてなり、
前記第３太陽電池が長方形の形状を有してなる、〔１〕〜〔５〕の何れか一項に記載の太陽電池パネル。
〔７〕
前記複数の太陽電池は、前記第１傾斜部及び第２傾斜部を備えない第３太陽電池をさらに備えてなり、
前記第３太陽電池の第３幅が、前記第１太陽電池の第１幅及び前記第２太陽電池の第２幅とそれぞれ異なるものであり、
前記第１幅が前記第２幅よりさらに小さいものであり、
前記第３幅が、前記第１幅及び前記第２幅よりさらに小さいものである、〔１〕〜〔６〕の何れか一項に記載の太陽電池パネル。
〔８〕
前記第１太陽電池の前記他側部分に第１重畳部位置し、前記第３太陽電池の一側部分が重畳され、
前記第３太陽電池の前記他側部分に第３重畳部が位置し、前記第２太陽電池の前記一側部分が重畳され、
前記第３太陽電池の前記他側と前記第３太陽電池に形成された第３電極との間の第３距離が前記第２太陽電池の前記他側と前記第２太陽電池に形成された第２電極との間の第２距離より小さいものである、〔７〕に記載の太陽電池パネル。
〔９〕
前記第１幅に対する前記第２幅の比率が１．０１８乃至１．０５５であり、
前記第３幅に対する前記第２幅の比率が１．０３６乃至１．１０５である、〔７〕又は〔８〕に記載の太陽電池パネル。
〔１０〕
短縮及び長軸を有する複数の太陽電池と、
前記複数の太陽電池を電気的に接続する接続部材と、を備えてなり、
前記複数の太陽電池は、
一側に傾斜部を備える一の太陽電池と、
傾斜部を備えない他の太陽電池と、を備えてなり、
前記短縮による前記一の太陽電池の幅と前記他の太陽電池の幅が互いに異なるものであり、
前記一の太陽電池又は前記他の太陽電池が長方形の形状を有してなり、
前記短縮による前記一の太陽電池の幅より前記他の太陽電池の幅がさらに小さいものである、太陽電池パネル。
【発明の効果】
【０００７】
本実施の形態に係ると、光電変換領域を同様にして、互いに異なる形状を有する複数の太陽電池において、同じ量の電流が流れるようにして損実される電流の量を最小化することができる。これにより、太陽電池のパネルの出力を向上することができる。
【図面の簡単な説明】
【０００８】
【図１】本発明の一実施の形態に係る太陽電池パネルを示す断面図である。
【図２】図１に示した太陽電池パネルに含み、接続部材によって互に接続される複数の太陽電池を概略的に示す平面図である。
【図３】図１に示した太陽電池パネルに含まれ、接続部材によって互に接続される複数２つの太陽電池を概略的に示す断面図である。
【図４】図１に示した太陽電池パネルに含まれる第３太陽電池を示した前面及び後面の平面図である。
【図５】図１に示した太陽電池パネルに含まれる第１〜第３太陽電池をそれぞれ示す前面平面図である。
【図６】本発明の一変形例に係る太陽電池パネルに含まれる第１〜第３太陽電池をそれぞれ示す前面平面図である。
【発明を実施するための形態】
【０００９】
以下においては、添付した図面を参照して、本発明の実施の形態を詳細に説明する。しかし、本発明は、このような実施の形態に限定されるものではなく、様々な形態に変形することができることはもちろんである。
【００１０】
図においては、本発明を明確かつ簡略に説明するために説明と関係ない部分の図示を省略し、明細書全体を通じて同一または極めて類似の部分に対しては、同一の図面参照符号を使用する。そして、図面では、説明をさらに明確にするために厚さ、広さなどを拡大または縮小して示したところ、本発明の厚さ、広さなどは図面に示されたところに限定されない。
【００１１】
そして、明細書全体においてどのような部分が他の部分を「含む」とするとき、特に反対される記載がない限り、他の部分を排除するものではなく、他の部分をさらに含むことができる。また、層、膜、領域、板などの部分が他の部分「上に」あるとする時、これは他の部分「真上に」ある場合だけでなく、その中間に他の部分が位置する場合も含む。層、膜、領域、板などの部分が他の部分「真上に」あるとするときは、中間に他の部分が位置しないことを意味する。
【００１２】
以下、添付した図面を参考にして本発明の実施の形態に係る太陽電池パネル、及び、これに含まれる太陽電池を詳細に説明する。
【００１３】
図１は、本発明の一実施の形態に係る太陽電池パネル１００を示す断面図である。
図２は、図１に示した太陽電池パネル１００に含まれ、接続部材１４２により互いに接続される複数の太陽電池１０を概略的に示す平面図である。明確と簡略な図示のために図２においては、前面電極４２及び後面電極４４と、接続部材１４２を示さなかった。
【００１４】
図１及び図２を参照すると、本実施の形態に係る太陽電池パネル１００は、短縮及び長軸を有する複数の太陽電池１０と、複数の太陽電池１０を電気的に接続する接続部材１４２を含む。このとき、複数の太陽電池１０は、一側に第１傾斜部１２ａを備える第１太陽電池１０ａと、他側に第２傾斜部１２ｂを備える第２太陽電池１０ｂを含み、傾斜部（１２ａ、１２ｂ）を備えない第３太陽電池１０cを含むことができる。本実施の形態においては、第１太陽電池１０ａと第２太陽電池１０bが互いに非対称形状を有することができるが、一例として、第１太陽電池１０ａの第１幅（Ｗ１）と第２太陽電池１０bの第２幅（Ｗ２）が互いに異なる。ここで、一側と他側の基準は、短縮方向または太陽電池ストリングの長さ方向に基つくことができる。これについては今後にさらに詳細に説明する。
【００１５】
そして、太陽電池パネル１００は、複数の太陽電池１０及び接続部材１４２を囲んで密封するシール材１３０と、シール材１３０の上で太陽電池１０の一面に位置する第１カバー部材１１０と、シール材１３０の上で太陽電池１０の他面に位置する第２カバー部材１２０を含む。
【００１６】
第１カバー部材１１０は、シール材１３０（一例として、第１シール材１３１上に位置して太陽電池パネル１００の一面（一例として、前面）を構成し、第２カバー部材１２０は、シール材１３０（一例として、第２シール材１３２）上に位置して太陽電池１０の他面（一例として、後面）を構成する。第１カバー部材１１０及び第２カバー部材１２０は、それぞれ、外部の衝撃、湿気、紫外線などから太陽電池１０を保護することができる絶縁物質で構成されることができる。そして、第１カバー部材１１０は、光が透過することができる透光性物質で構成され、第２カバー部材１２０は、透光性物質、非透光性物質、または反射物質などで構成されるシートで構成されることができる。一例として、第１カバー部材１１０が、優れる耐久性、優れる絶縁特性などを有するガラス基板で構成されることができ、第２カバー部材１２０がフィルムまたはシートなどで構成されることができる。第２カバー部材１２０は、ＴＰＴ（Ｔｅｄｌａｒ/ＰＥＴ/Ｔｅｄｌａｒ）タイプを有すか、または、ベースフィルム（例えば、ポリエチレンテレフタレート（ＰＥＴ））の少なくとも一面に形成されたフッ化ポリビニリデン（poly vinylidene fluoride、ＰＶＤＦ）樹脂層を含むことができる。
【００１７】
シール材１３０は、接続部材１４２によって接続された太陽電池１０の前面に位置する第１シール材１３１と、太陽電池１０の後面に位置する第２シール材１３２を含むことができる。第１シール材１３１と第２シール材１３２は、水分と酸素の流入を防止し、太陽電池パネル１００の各要素を化学的に結合する。第１及び第２シール材１３１，１３２は、透光性と接着性を有する絶縁物質で構成されることができる。一例として、第１シール材１３１と第２シール材１３２でエチレン酢酸ビニル共重合体樹脂（ＥＶＡ）、ポリビニルブチラール（ＰＶＢ）、ケイ素樹脂、エステル系樹脂、オレフィン系樹脂などが使用されることができる。第１及び第２シール材１３１，１３２を用いたラミネート工程などによって第２カバー部材１２０、第２シール材１３２、接続部材１４２によって接続された複数の太陽電池１０、第１シール材１３１、第１カバー部材１１０が一体化され、太陽電池パネル１００を構成することができる。
【００１８】
しかし、本発明がこれに限定されるものではない。したがって、第１及び第２シール材１３１、１３２、第１カバー部材１１０、または第２カバー部材１２０が、前述した説明以外の様々な物質を含むことがあり、様々な形態を有することができる。例えば、第１カバー部材１１０または第２カバー部材１２０が、様々な形態（例えば、基板、フィルム、シートなど）または物質を有することができる。
【００１９】
本実施の形態において、複数の太陽電池１０の内で、互いに隣接する２つの太陽電池１０は、端部分が互いに重畳され、重畳部（ＯＰ）を構成し、重畳部（ＯＰ）で２つの太陽電池１０の間に接続部材１４２が位置し、２つの太陽電池１０が電気的に接続される。複数個の太陽電池１０は、接続部材１４２によって電気的に直列、並列または直並列に接続することができる。一例として、複数個の太陽電池１０が接続部材１４２によって順に直列に接続されて１つの列で構成された太陽電池ストリングを構成することができる。このとき、接続部材１４２によって接続される複数の太陽電池１０が母太陽電池（mother solar cell）から切断されて長軸及び短縮を有することができる。
【００２０】
このような太陽電池１０と接続部材１４２を図１及び図２と共に図３及び図４を参照して、さらに詳細に説明する。さらに具体的には、図３を参照して、各太陽電池１０の構造を説明した後、図１〜図４を参照して、接続部材１４２を用いて、隣接した２つの太陽電池１０との間の接続構造をさらに詳細に説明する。
【００２１】
図３は図１に示した太陽電池パネル１００に含まれ、接続部材１４２によって互に接続される２つの太陽電池１０（一例として、第３太陽電池１０ｃ及び第２太陽電池１０ｂ）を概略的に示した断面図である。図４は、図１に示した太陽電池パネル１００に含まれる第３太陽電池１０ｃを示す前面及び後面平面図である。簡単な図示のために図４においては、接続部材１４２は、示さなかったし、図４の（ａ）には、第３太陽電池１０ｃの半導体基板１２の前面及びこれに形成された、第１導電型領域２０と前面電極４２を示し、図４の（ｃ）には、第３太陽電池１０ｃの半導体基板１２の後面、それとこれに形成された第２導電型領域３０及び後面電極４４を示した。
【００２２】
ここで、簡略かつ明確な図示及び説明のために、図３においては、第３太陽電池１０ｃと第２太陽電池１０bを示し、図４には、第３太陽電池１０ｃを示した。他の記載がなければ、第３太陽電池１０ｃ及び/または第２太陽電池１０bの構造の内容は、第１〜第３太陽電池（１０a、１０ｂ、１０ｃ）の全てに適用することができる。そして第３太陽電池１０ｃと第２太陽電池１０ｂの接続構造は、第１太陽電池１０ａと第３太陽電池１０ｃ、それとと、第２太陽電池１０ｂと第１太陽電池１０ａにそのまま適用することができる。
【００２３】
以下においては、図３に示した第３太陽電池１０ｃ及び/または第２太陽電池１０ｂを参照して、各太陽電池１０の構造（すなわち、第１太陽電池１０ａ、第２太陽電池１０b及び第３太陽電池１０ｃの構造）を大まかに説明した後、図１〜図４を参照して、接続部材１４２を用いて、隣接した２つの太陽電池１０との間の接続構造をさらに詳細に説明する。
【００２４】
図３を参照すると、本実施の形態に係る太陽電池１０は、半導体基板１２と、半導体基板１２に、または半導体基板１２上に形成される導電型領域（２０、３０）と、導電型領域（２０、３０）に接続される電極（４２、４４）を含む。すなわち、本実施の形態に係る太陽電池１０は、半導体基板１２に基づいて結晶質太陽電池で有り得る。一例として、導電型領域（２０、３０）は、互いに異なる導電型を有する第１導電型領域２０と第２導電型領域３０を含むことができ、電極（４２、４４）は、第１導電型領域２０に接続される前面電極４２と第２導電型領域３０に接続される後面電極４４を含むことができる。
【００２５】
半導体基板１２は、第１または第２導電型ドーパントを相対的低いドーピング濃度で含みから第１または第２導電型を有するベース領域１４を含むことができる。一例として、ベース領域１４は、第2導電型を有することができる。ベース領域１４は、第１または第２導電型ドーパントを含む単一結晶半導体（例えば、単一単結晶または多結晶半導体、一例として、単結晶または多結晶シリコン、特に単結晶シリコン）で構成されることができる。このように結晶性が高く、欠陥の少ないベース領域１４または半導体基板１２をベースにした太陽電池１０は、電気的特性が優れる。このとき、半導体基板１２の前面及び後面の内、少なくとも一つには、反射を最小化することができようにピラミッドなどの形状の凹凸を有するテクスチャリング（texturing）構造又は反射防止構造が備えられることができる。
【００２６】
導電型領域（２０、３０）は、半導体基板１２の一面（一例として、前面）側に位置し、第１導電型を有する第１導電型領域２０と、半導体基板１２の他の一面（一例として、他面）側に位置し、第２導電型を有する第２導電型領域３０を含むことができる。導電型領域（２０、３０）は、ベース領域１４と、他の導電型を有すか、ベース領域１４より高いドーピング濃度を有することができる。本実施の形態においては、第１及び第２導電型領域（２０、３０）が、半導体基板１２の一部を構成するドーピング領域で構成されて、ベース領域１４との接合特性を向上することができる。このとき、第１導電型領域２０または第２導電型領域３０は、均一な構造（homogeneous structure）、選択的構造（selective structure）またはローカル構造（local structure）を有することができる。
【００２７】
しかし、本発明がこれに限定されるものではなく、第１及び第２導電型領域（２０、３０）の内、少なくとも１つが、半導体基板１２の上に半導体基板１２とは別に形成されることができる。この場合に、第１または第２導電型領域（２０、３０）が、半導体基板１２上に容易に形成されることができるよう、半導体基板１２と、他の結晶構造を有する半導体層（例えば、非晶質半導体層、微結晶半導体層、または多結晶半導体層、一例として、非晶質シリコン層、微結晶シリコン層または多結晶シリコン層）で構成されることができる。
【００２８】
第１及び第２導電型領域（２０、３０）の内、ベース領域１４と、他の導電型を有する一つの領域は、エミッタ領域の少なくとも一部を構成する。第１及び第２導電型領域（２０、３０）の内、ベース領域１４と同じ導電型を有する他の一つは、電界（surface field）領域の少なくとも一部を構成する。一例として、本実施の形態においては、ベース領域１４及び第２導電型領域３０が第2導電型でｎ型を有し、第１導電型領域２０がｐ型を有することができる。すると、ベース領域１４と、第１導電型領域２０がｐｎ接合を形成する。このようなｐｎ接合に光が照射されると、光電効果によって生成された電子が半導体基板１２の後面の方向に移動して、後面電極４４によって収集され、正孔が半導体基板１２の前面の方向に移動して、前面電極４２によって収集される。これにより、電気エネルギーが発生する。それでは、電子より移動速度が遅い正孔が半導体基板１２の後面ではない、前面に移動して、効率が向上することができる。しかし、本発明がこれに限定されるものではなく、ベース領域１４及び第２導電型領域３０が、ｐ型を有し第１導電型領域２０がｎ型を有することも可能である。また、ベース領域１４が第１２導電型領域２３０と同じで、第２１導電型領域３２０と反対の導電型を有することができる。
【００２９】
このとき、第１または第２導電型ドーパントとしては、ｎ型またはｐ型を示すことができる様々な物質を使用することができる。ｐ型ドーパントとしては、ボロン（Ｂ）、アルミニウム（Ａｌ）、ガリウム(Ｇａ)、インジウム（Ｉｎ）などの３族元素を使用することができる。ｎ型である場合には、リン（Ｐ）、ヒ素（Ａｓ）、ビスマス（Ｂｉ）、アンチモン（Ｓｂ）などの５族元素を使用することができる。一例として、ｐ型ドーパントがボロン（Ｂ）であり、ｎ型ドーパントがリン（Ｐ）で有り得る。
【００３０】
そして、半導体基板１２の前面上（さらに正確には、半導体基板１２の前面に形成された第１導電型領域２０の上）に第１絶縁膜である第１パッシベーション膜２２及び/または反射防止膜２４が位置（一例として、接触）することができる。そして、半導体基板１２の後面上（さらに正確には、半導体基板１２の後面に形成された第２導電型領域３０の上）に第２絶縁膜である第２パッシベーション膜３２が位置（一例として、接触）することができる。第１パッシベーション膜２２、反射防止膜２４及び第２パッシベーション膜３２は、様々な絶縁物質で形成することができる。一例として、第１パッシベーション膜２２、反射防止膜２４または第２パッシベーション膜３２は、シリコン窒化膜、水素を含むシリコン窒化膜、シリコン酸化膜、シリコン酸化窒化膜、アルミニウム酸化膜、シリコン炭化膜、ＭｇＦ２、ＺｎＳ、ＴｉＯ２とＣｅＯ２からなる群から選択されたいずれかの１つの膜または２つ以上の膜を組み合わせた多層膜構造を有することができる。しかし、本発明がこれに限定されるものではない。
【００３１】
前面電極４２は、第１絶縁膜を貫通する開口部を介して第１導電型領域２０に電気的に接続（一例として、接触形成）され、後面電極４４は、第２絶縁膜を貫通する開口部を介して第２導電型領域３０に電気的に接続（一例として、接触形成）される。前面及び後面電極（４２、４４）は、様々な導電性物質（一例として、金属）で構成され、様々な形状を有することができる。
【００３２】
例えば、図３及び図４を参照すると、前面電極４２は、一定のピッチを有しながら互いに離隔される複数のフィンガー電極４２ａを含むことができる。図４においてはフィンガー電極４２ａが短縮方向に延長され、互いに平行し、半導体基板１２の一端に平行なものを例示した。
【００３３】
そして、前面電極４２は、フィンガー電極４２ａの端部を接続しながら、短縮方向と交差（一例として、直交）する長軸方向（図のｙ軸方向）に延びるバスバー電極４２ｂを含むことができる。このようなバスバー電極４２ｂは、他の太陽電池１０と、重畳される重畳部（ＯＰ）内に位置して隣接した太陽電池１０を接続する接続部材１４２が直接位置することになる部分である。このとき、フィンガー電極４２ａの幅よりバスバー電極４２ｂの幅が大きくなることができるが、本発明がこれに限定されるものではない。したがって、バスバー電極４２ｂの幅がフィンガー電極４２ａの幅と同じか、それより小さい幅を有することができる。
【００３４】
断面で見るとき、前面電極４２のフィンガー電極４２ａ及びバスバー電極４２ｂは、すべて第１絶縁膜を貫通して形成されることもできる。しかし、本発明がこれに限定されるものではない。他の例として、前面電極４２のフィンガー電極４２ａが第１絶縁膜を貫通して形成され、バスバー電極４２ｂは、第１絶縁膜上に形成されることができる。
【００３５】
これと類似に、後面電極４４は、複数のフィンガー電極４４ａを含み、複数のフィンガー電極４４ａの端部を接続するバスバー電極４４ｂを含むことができる。他の記載がなければ、後面電極４４においては、前面電極４２の内容がそのまま適用されることができ、前面電極４２と関連した第１絶縁膜の内容が後面電極４４と関連して、第２絶縁膜にそのまま適用することができる。このとき、前面電極４２のフィンガー電極４２ａとバスバー電極４２ｂの幅、ピッチなどは、後面電極４４のフィンガー電極４４ａとバスバー電極４４ｂの幅、ピッチなどは互い同じこともあり、互いに異なることができる。
【００３６】
本実施の形態においては、一例として、前面電極４２のバスバー電極４２ｂが前面電極４２のフィンガー電極４２ａの他側（図の右側）の端部に隣接して１つ設けられ、後面電極４４のバスバー電極４４ｂが後部電極４４のフィンガー電極４４ａの一側（図の左側）の端部から１つ備えることを例示した。さらに具体的には、前面電極４２のバスバー電極４２ｂが半導体基板１２の短縮方向の他側に隣接して、半導体基板１２の長軸方向（図のｙ軸方向）に沿って長く続き、後面電極４４のバスバー電極４４ｂが半導体基板１２の短縮方向の一側に隣接して、半導体基板１２の長軸方向に沿って長くつながることができる。
【００３７】
このような構造を有すると、太陽電池１０を接続するときに１つの太陽電池１０の他側に位置する前面電極４２のバスバー電極４２ｂと、これに隣接した太陽電池１０の一側に位置する後面電極４４のバスバー電極４４ｂが重畳部（ＯＰ）で互いに隣接して位置するので、これらを接続部材１４２に接合することにより、隣接した太陽電池１０を安定的に接続することができる。そして一面に基づいて一側のみ、バスバー電極（４２ｂ、４４ｂ）を形成して電極（４２、４４）の材料コストを削減し、製造工程を単純化することができる。
【００３８】
図に明確に図示と表示されながったが、フィンガー電極（４２ａ、４４ａ）と交差する方向に延長され、複数のフィンガー電極（４２ａ、４４ａ）を接続する接続電極または枠電極をさらに備えることもできる。一例として、図５において第２３太陽電池１０ｂで長軸方向のバスバー電極４２ｂの両側からフィンガー電極４２ａと傾斜に形成された部分が枠電極に対応することができる。このような接続電極または枠電極は、バスバー電極４２ｂと同じか、それより小さい幅を有することができ、特に、バスバー電極４２ｂより小さい幅を有することができる。または、バスバー電極４２ｂの反対側（つまり、一側）に接続電極または枠電極が位置することができる。接続電極または枠電極は、一部のフィンガー電極（４２ａ、４２ｂ）が損傷するなどの問題がある場合に迂回経路を提供する役割をしたり、傾斜部（１２a、１２ｂ）によってバスバー電極（４２ｂ、４４ｂ）に接続されないフィンガー電極（４２ａ、４４ａ）を、他のフィンガー電極（４２ａ、４４ａ）を経て、バスバー電極（４２ａ、４４ｂ）に電気的に接続する役割をすることができる。
【００３９】
しかし、本発明がこれに限定されるものではない。したがって、バスバー電極（４２ｂ、４４ｂ）を含まないか、または、前述したフィンガー電極（42a、44a）と、他の形状を有する電極を形成することもできる。また、前述したようと異なり、前面電極４２と後面電極４４の平面形状が互いに全く違ったり類似性を有さないことも可能であり、それ以外の様々な変形が可能である。
【００４０】
前述したように、本実施の形態においては、一つの母太陽電池を切断して、切断面（ＣＳ）を有する複数の太陽電池１０を製造し、これを単位太陽電池として使用する。ここで、切断面（ＣＳ）とは、一つの母太陽電池を製造した後に切断して形成された面を意味することができ、非切断面（ＮＣＳ）は、半導体基板１２または母太陽電池の最初の端をそのまま備えた面を意味することができる。このように切断された複数の太陽電池１０を接続して、太陽電池パネル１００を製造すれば、太陽電池パネル１００の出力損失（cell to module loss、ＣＴＭ loss）を減らすことができる。
【００４１】
これをさらに詳細に説明すると、前記出力損失は、各太陽電池で電流の二乗に抵抗を乗じた値を有するようになり、複数個の太陽電池を含む太陽電池パネルの出力損失は、前記各太陽電池の電流の二乗に抵抗を乗じた値に、太陽電池の数を乗じた値を有するようになる。ところが、各太陽電池の電流の内には太陽電池の面積自体によって発生される電流があり、太陽電池の面積が大きくなると、その電流も大きくなり、太陽電池の面積が小さくなると、その電流も小さくなる。
【００４２】
したがって、母太陽電池を切断して製造された太陽電池１０を用いて、太陽電池パネル１００を形成すれば、太陽電池１０の電流が面積に比例して減少し、太陽電池１０の数は逆に増加することになる。たとえば、母太陽電池から製造された太陽電池１０が４つである場合には、各太陽電池１０からの電流が母太陽電池の電流の４分の１に減り、太陽電池１０の数が母太陽電池の四倍になる。電流は二乗で反映されて数はそのまま反映されるので、出力の損失値は４分の１に小さくなる。これにより、本実施の形態に係る太陽電池パネル１００の出力損失を低減することができる。
【００４３】
本実施の形態においては、既存のように母太陽電池を製造した後、これを切断して、太陽電池１０を形成する。これによれば、従来使っていた設備、それに応じて最適化された設計などをそのまま用いて母太陽電池を製造した後、これを切断して、太陽電池１０を製造することができる。これにより設備の負担、工程費用負担が最小化される。一方、母太陽電池の大きさ自体を減らして製造するようになると、使用していた設備を交替したり、設定を変更するなどの負担がある。
【００４４】
さらに具体的には、母太陽電池又はその半導体基板は、おおよそ円形形状のインゴット（ingot）から製造されて円形、正方形またはこれと類似に、互いに直交する２つの方向（一例として、フィンガー電極（４２ａ、４４a）が延長される方向及びバスバー電極（４２ｂ、４４ｂ）が延長される方向）での辺の長さが互いに同一するかまたはほぼ類似する。一例として、母太陽電池の半導体基板は、おおよそ正方形の形状からの４つの角の部分に傾斜部（１２a、１２ｂ）を有する八角形形状を有することができる。このような形状を有すると、同じインゴットから最大限広い面積の半導体基板を得ることができる。参照で、図２において左側から順に、互いに隣接する４つの太陽電池１０がそれぞれ一つの母太陽電池で製造されたもので有り得る。しかし、本発明がこれに限定されるものではなく、一つの母太陽電池で製造された太陽電池１０の数などは多様に変形することができる。
【００４５】
このように母太陽電池は、対称的な形状を有し、最大横幅（半導体基板の中心を通る横幅）と最大縦幅（半導体基板の中心を通る縦幅）が同じ距離を有する。
【００４６】
このような母太陽電池を一方向（一例として、図面のｙ軸方向）に延長された切断線に沿って切断して形成された太陽電池１０は、少なくとも一つの切断面（ＣＳ）を有することができる。このとき、母太陽電池を一方向に長く続く切断面（ＣＳ）を有するように切断して、太陽電池１０が長軸と短縮を有する形状を有し、切断面（ＣＳ）が長軸と平行な方向に延長された太陽電池１０の側面の内、少なくとも一つに位置したことを例示した。そうすると、切断をさらに安定的に行うことができ、切断工程においての太陽電池１０の損傷を最小化することができる。しかし、本発明がこれに限定されるものではない。
【００４７】
本実施の形態において、切断面（ＣＳ）は、各太陽電池１０に１つまたは２つが位置することができる。これは、各太陽電池１０が母太陽電池において存在していた位置に基づいて、切断面（ＣＳ）が長軸と平行な方向に沿って長く延長される両側面にそれぞれ位置することもでき、切断面（ＣＳ）が長軸と平行な方向に沿って長く延長される両側面の内、いずれか１つにのみ位置することもできるからである。
【００４８】
さらに具体的に、第１太陽電池１０ａにおいては、短縮方向での他側（図の右側）に位置した、長軸端だけ切断面（ＣＳ）で構成され、残りの端による面は非切断面（ＮＣＳ）である。第２太陽電池１０bにおいては、短縮方向での一側（図の左側）に位置する長軸端だけ切断面（ＣＳ）で構成され、残りの端による面は非切断面（ＮＣＳ）である。第３太陽電池１０ｃにおいては、短縮方向での両側に位置する長軸端が、切断面（ＣＳ）で構成され、残りの端による面は非切断面（ＮＣＳ）である。
【００４９】
参照で、切断面（ＣＳ）であるか、非切断面（ＮＣＳ）であるかどうかは、側面に位置する絶縁膜（２２、２４、３２）の存在可否、絶縁膜（２２、２４、３２）の積層構造の違い、傾斜部（１２ａ、１２b）の存在可否と位置、顕微鏡での表面粗さの違い、表面モポルロジ（morphology）違いなどで知ることができる。
【００５０】
例えば、非切断面（ＮＣＳ）を構成する側面には、半導体基板１２の前面及び／または後面から延長された絶縁膜（２２、２４、３２）が位置することができ、切断面（ＣＳ）を構成する側面には、半導体基板１２の前面及び/または後面から延長された絶縁膜（２２、２４、３２）が位置しないことがある。図においては、半導体基板１２の切断面（ＣＳ）を構成する側面の上に別の絶縁膜が位置しないことで示したが、熱などを利用した切断工程などで、切断面（ＣＳ）を構成する側面上に熱的酸化膜（図示せず）などが形成されることもある。このように、切断面（ＣＳ）を構成する側面の上に熱的酸化膜が位置する場合にも、絶縁膜（２２、２４、３２）とは、積層構造が異なったり絶縁膜（２２、２４、３２）の内、少なくとも１つが熱的酸化膜の物質と他の物質を含むことができる。そして短縮及び長軸を有しながら傾斜部（１２a、１２ｂ）が備えられる場合には、傾斜部（１２a、１２ｂ）によって接続された３つの長軸または短縮端が、切断面（ＮＣＳ）を構成し、傾斜部（１２a、１２ｂ）と接続されない１つの長軸端が、切断面（ＣＳ）を構成する。また、切断工程の中で、切断面（ＣＳ）の切断跡が残ることがある。例えば、切断工程が、レーザ加工工程によって実行された場合には、レーザの痕跡やレーザによって溶融した痕跡などが残ることができ、レーザ加工工程と、物理的衝撃を与える機械的切断工程を一緒に使用した場合には、レーザ加工工程によって切断された部分と機械的切断工程によって切断された部分が互いに異なる角度を有したり、互いに異なるモポルロジを有することができる。その他の様々な方法によって、切断面（ＣＳ）であるか、非切断面（ＮＣＳ）であるかを判別することができる。
【００５１】
このように製造された複数の太陽電池１０は、接続部材１４２を用いて互に電気的に接続される。本実施の形態においては、一例として、隣接する２つの太陽電池１０が互いに重畳される重畳部（ＯＰ）を備え、接続部材１４２が、重畳部（ＯＰ）で互いに隣接した２つの太陽電池１０の間に位置してこれらを電気的及び物理的に接続する。
【００５２】
接続部材１４２は、接着物質を含むことができるが、接着物質としては、電気伝導性及び接着特性を有し２つの太陽電池１０を電気的及び物理的に接続することができる様々な物質が使用されることができる。一例として、接続部材１４２が導電性接着層、はんだなどでなることができる。
【００５３】
本実施の形態においては、複数の太陽電池１０の内、いずれか１つの太陽電池１０の一側がこれに隣接した太陽電池１０の他側が重畳されて、重畳部（ＯＰ）を形成し、重畳部（ＯＰ）がバスバー電極（４２ｂ、４４ｂ）の長さ方向または太陽電池１０の長軸方向に沿って長く続く。この重畳部（ＯＰ）内に位置する隣接した２つの太陽電池１０のバスバー電極（４２ｂ、４４ｂ）の間に接続部材１４２が位置して隣接した２つの太陽電池１０が電気的に接続される。それでは、短縮及び長軸を有する太陽電池１０を長軸方向で接続して、接続面積を十分に確保して安定的に接続することができる。しかし、本発明がこれに限定されるものではない。したがって、バスバー電極（４２ｂ、４４ｂ）の代わりにフィンガー電極（４２ａ、４４ａ）に接続部材１４２を接続して、太陽電池１０を電気的に接続することもできる。その他の様々な変形が可能である。
【００５４】
前述した隣接した２つの太陽電池１０の接続構造が互いに隣接する２つの太陽電池１０に連続的に繰り返されて、複数の太陽電池１０で構成される太陽電池ストリングが形成されることができる。このような太陽電池ストリングは、様々な方法または装置によって形成されることができる。そして、第１カバー部材１１０、第１シール材１３１、接続部材１４２によって接続された複数の太陽電池１０（つまり、太陽電池ストリング）、第２シール材１３２及び第２カバー部材１２０を順に位置させて積層構造体を形成し、積層構造体に熱と圧力を加えるラミネーション工程を実行して、太陽電池パネル１００を製造する。
【００５５】
このとき、本実施の形態においては、前述したように、傾斜部（１２a、１２ｂ）の有無、切断面（ＣＳ）の位置、バスバー電極（４２ａ、４２ｂ）の位置などが互いに異なる第１〜第３太陽電池（１０a、１０ｂ、１０ｃ）を備えるところ、これを考慮して、第１〜第３太陽電池（１０a、１０ｂ、１０ｃ）の形状、面積（一例として、幅）などを調節するところ、これを図２と一緒に図５を参照して、さらに詳細に説明する。
【００５６】
図５は、図１に示した太陽電池パネル１００に含まれる第１〜第３太陽電池（１０ａ、１０ｂ、１０ｃ）をそれぞれ示す前面平面図である。さらに具体的に、図５の（ａ）は、第１太陽電池１０ａの前面平面図を、図５の（ｂ）は、第３太陽電池１０ｃの前面平面図を、図５の（ｃ）は、第２太陽電池１０bの前面平面図である。
【００５７】
図２及び図５を参照すると、本実施の形態においては、一側（図の左側）に第１傾斜部１２ａを備える第１太陽電池１０ａと他側（図の右側）に第２傾斜部１２ｂを備える第２太陽電池１０bが互いに非対称形状を有することができる。このとき、第１太陽電池１０ａの光電変換部または半導体基板１２が第２太陽電池１０bの光電変換部または半導体基板１２と非対称形状を有するが、第１太陽電池１０aの電極（４２、４４）と第２太陽電池１０ｂの電極（４２、４４）が同じ形状または構造を有することができる。特に、相対的に大量の光が入射される前面に位置した、第１太陽電池１０ａの前面電極４２と第２太陽電池１０bの前面電極４２が互いに同じ形状または構造を有することができる。ここで、同じ形状または構造を有するとすることは、幅、ピッチ、長さなどがすべて同じものだけを意味するものではなく、幅、ピッチ、長さなどに違いがあっても、電極が同じ配置または形状を有する場合（例えば、フィンガー電極４２ａとバスバー電極４２ｂを備える場合）を含む広い意味である。
【００５８】
そして、第３太陽電池１０ｃは、第１及び第２傾斜部（１２ａ、１２ｂ）を備えないで方形の形状を有することができる。これにより、第３太陽電池１０ｃは、第１及び第２太陽電池（１０ａ、１０ｂ）と、他の形状を有することができる。さらに具体的には、第３太陽電池１０ｃの光電変換部または半導体基板１２は、第１及び第２太陽電池（１０ａ、１０ｂ）の光電変換部または半導体基板１２と、他の形状を有するが、第１及び第２太陽電池（１０ａ、１０ｂ）の電極（４２、４４）が同じ形状または構造を有することができる。特に、相対的大量の光が入射される前面に位置する第３太陽電池１０ｃの前面電極４２と、第１及び第２太陽電池（１０ａ、１０ｂ）の前面電極４２が互いに同じ形状または構造を有することができる。
【００５９】
さらに具体的に、一側に第１傾斜部１２ａを備える第１太陽電池１０ａの第１幅（Ｗ１）と他側に第２傾斜部１２ｂを備える第２太陽電池１０bの第２幅（Ｗ２）が互いに異なる。そして第３太陽電池１０ｃの第３幅（Ｗ３）が第１及び第２太陽電池（１０ａ、１０ｂ）の第１幅（Ｗ１）及び第２幅（Ｗ２）とそれぞれ異なることができる。
【００６０】
さらに具体的に、第２太陽電池１０bの第２幅（Ｗ２）より第１太陽電池１０ａの第１幅（Ｗ１）がさらに小さいことがある。そして第３太陽電池１０ｃの第３幅（Ｗ３）が第１幅（Ｗ１）及び第２幅（Ｗ２）のそれぞれよりさらに小さいことがある。これは傾斜部（１２a、１２ｂ）の位置、そして、第１及び第２太陽電池（１０ａ、１０ｂ）にそれぞれ位置する第１及び第２バスバー電極（４２１ｂ、４２２ｂ）の位置を考慮して、光電変換面積が互いに同一または類似のレベルになるようにすることである。これをさらに具体的に説明する。
【００６１】
一側に第１傾斜部１２ａが位置する第１太陽電池１０ａにおいては、一面（つまり、前面）に位置する第１バスバー電極４２１ｂまたは接続部材１４２が第１傾斜部１２ａが位置した第１端（Ｌ１）ではない第２端（Ｌ２）に隣接して位置する。本明細書において第１端（Ｌ１）は、短縮方向に見るとき、一側（図の左側）に位置する長軸端を意味し、第２端（Ｌ２）は、短縮方向に見るとき（図の右側）に位置する長軸端を意味する。このとき、第１傾斜部１２ａは、一側に位置する第１端（Ｌ１）の両側にそれぞれ形成されることができる。
【００６２】
第１太陽電池１０ａにおいて第１端（Ｌ１）は、半導体基板１２の製造時に形成された端として非切断面（ＮＣＳ）による端であり、第２端（Ｌ２）は、切断によって形成された切断面（ＣＳ）による端である。すなわち、第１太陽電池１０ａにおいては、第１バスバー電極４２１ｂが第１傾斜部１２ａが位置した第１端（Ｌ１）と反対され、切断面（ＣＳ）によって形成された端である第２端（Ｌ２）に隣接して形成される。
【００６３】
一方、他側に第２傾斜部１２ｂが位置する第２太陽電池１０ｂにおいては、一面（つまり、前面）に位置する第２バスバー電極４２２ｂが第２傾斜部１２ｂが位置した、第２端（Ｌ２）に隣接して位置する。このとき、第２傾斜部１２ｂは、他側に位置する第２端（Ｌ２）の両側にそれぞれ形成されることができる。
【００６４】
第２太陽電池１０bにおいて第１端（Ｌ１）は、切断によって形成された切断面（ＣＳ）による端であり、第２端（Ｌ２）は、半導体基板１２の製造時に形成された端として非切断面（ＮＣＳ）による端である。すなわち、第２太陽電池１０ｂにおいては、第２バスバー電極４２２ｂが第２傾斜部１２ａが位置し、非切断面（ＮＣＳ）による端である第２端（Ｌ２）に隣接して形成される。このとき、第２傾斜部１２ｂは、他側に位置する第１端（Ｌ２）の両側にそれぞれ形成されることができる。
【００６５】
そして、第１及び第２傾斜部（１２ａ、１２ｂ）が備えない第３太陽電池１０ｃにおいては、一面（つまり、前面）に位置する第３バスバー電極４２３ｂが第２端（Ｌ２）に隣接して位置する。第３太陽電池１０ｃにおいて第１及び第２端（Ｌ１、Ｌ２）は、それぞれの切断によって形成された切断面（ＣＳ）による端である。すなわち、第３太陽電池１０ｂにおいては、第３バスバー電極４２３ｂが、切断面（ＣＳ）による端である第２端（Ｌ２）に隣接して形成される。
【００６６】
このように、第１乃至第３太陽電池（１０ａ、１０ｂ、１０ｃ）に位置した第１乃至第３バスバー電極（４２１ｂ、４２２ｂ、４２３ｂ）は、それぞれ第１〜第３太陽電池（１０a、１０ｂ、１０ｃ）の第２端（Ｌ２）に隣接して形成される。これにより、母太陽電池を切断して、複数の太陽電池１０を形成した後、これらを回転せずにそのまま接続するとよいので、太陽電池パネル１００の製造工程を単純化することができる。
【００６７】
ただし、第１〜第３太陽電池（１０ａ、１０ｂ、１０ｃ）は、傾斜部（１２a、１２ｂ）の有無、傾斜部（１２ａ、１２ｂ）の位置、切断面（ＣＳ）または非切断面（ＮＣＳ）の位置に差があり、第１〜第３バスバー電極（４２１ｂ、４２２ｂ、４２３ｂ）が第２端（Ｌ２）に隣接しても、その位置などが互いに異なることができる。
【００６８】
つまり、バスバー電極４２ｂは、非切断面（ＮＣＳ）による端に隣接した場合の端との距離が切断面（ＣＳ）による端に隣接場合の端との距離が互いに異なることができる。一例として、バスバー電極４２ｂは、非切断面（ＮＣＳ）による端より、切断面（ＣＳ）による端にさらに隣接して位置することができる。非切断面（ＮＣＳ）による端に隣接するバスバー電極４２ｂは、所望しないシャントなどを防止するために端との間隔を相対的に大きくし、切断面（ＣＳ）による端に隣接する場合は、切断工程での公差だけを考慮して、端との間隔を相対的に小さくすることができるからである。特に、母太陽電池においては、各太陽電池１０に対応して電極（４２、４４）を離間して形成し、切断工程時には、電極（４２、４４）の間の中間を切断して、複数の太陽電池１０を製造する。これにより、電極（４２、４４）と切断面（ＣＳ）による端の間の距離は、母太陽電池で電極（４２、４４）との間の距離の半分になるので、切断面（ＣＳ）と電極（４２、４４）との間の距離は相対的に小さい値を有することができる。
【００６９】
つまり、切断面（ＣＳ）による第１太陽電池１０ａの第２端（Ｌ２）と、これに隣接する第１太陽電池１０ａの第１電極（一例として、第１バスバー電極４２１ｂ）との間の第１距離（Ｄ１）と非切断面（ＣＳ）による第２太陽電池１０bの第２端（Ｌ２）と、これに隣接する第２太陽電池１０ｂの第２電極（一例として、第２バスバー電極４２２ｂ）との間の第２距離（Ｄ２）が互いに異なることができる。一例として、第２距離（Ｄ２）より第１距離（Ｄ１）がさらに小さいことがある。
【００７０】
隣接した太陽電池１０との接続のために第１または第２バスバー電極（４２１ｂ、４２２ｂ）を含みから幅方向で一定の公差を置いて、重畳部（ＯＰ）が形成されるべきである。このとき、第２距離（Ｄ２）より第１距離（Ｄ１）がさらに小さいので、第１太陽電池１０ａの第１重畳部（ＯＰ１）の幅（ＷＯ１）は、第２太陽電池１０ｂの第２重畳部（ＯＰ２）の幅（ＷＯ２）と同じか、それより小さいことがある。特に、第１重畳部（ＯＰ１）の幅（ＷＯ１）は、第２重畳部（ＯＰ２）の幅（ＷＯ２）より小さいことがある。本明細書において、第１〜第３重畳部（ＯＰ１、ＯＰ２、ＯＰ３）の位置及び 重畳部（ＯＰ１、ＯＰ２、ＯＰ３）の幅が光が相対的に多く入射される太陽電池１０の前面から隣接した太陽電池１０によって隠れた部分に基づいて定義されることができる。すなわち、第１重畳部（ＯＰ１）及びこれの幅（ＷＯ１）は、第１太陽電池１０ａと、その上に位置する第３太陽電池１０ｃが重畳される部分及びこれの幅で定義され、第２重畳部（ＯＰ２）とこれの幅（ＷＯ２）は、第２太陽電池１０bと、その上に位置する第１太陽電池１０ａが重畳される部分及びこれの幅で定義され、第３重畳部（（ＯＰ３及びこれの幅（ＷＯ３）は、第３太陽電池１０ｃと、その上に位置する第２太陽電池１０ｂまたは別の第３太陽電池１０ｃが重畳される部分および異議これの幅と定義することができる。
【００７１】
前面に基づいて第１太陽電池１０ａから第１重畳部（ＯＰ１）を除外した部分を、第１有効部（ＡＰ１）、第２太陽電池１０ｂにおいて第２重畳部（ＯＰ２）を除外した部分を、第２有効部（ＡＰ２）、第３太陽電池１０ｃにおいて第３重畳部（ＯＰ３）を除外した部分を、第３有効部（ＡＰ３）で定義することができる。このとき、第１有効部（ＡＰ１）には、第１傾斜部１２ａが位置し、第２有効部（ＡＰ２）には、第２傾斜部１２ｂが位置しないので、第１有効部（ＡＰ１）及び第２有効部（ＡＰ２）を同じ幅に形成しても、第１有効部（ＡＰ１）の面積が第２有効部（ＡＰ２）の面積より小さいことがある。
【００７２】
ここで、本実施の形態においては、光が入射して、実質的に光電変換に寄与する第１太陽電池１０ａの第１有効部（ＡＰ１）及び第２太陽電池１０ｂの第２有効部（ＡＰ２）の面積を同一またはこれと類似のレベルになるようにするために、第１有効部（ＡＰ１）の幅より第２有効部（ＡＰ２）の幅を小さくすることができる。すなわち、第１傾斜部１２ａを備えた第１有効部（ＡＰ１）の面積を傾斜部を備えない第２有効部（ＡＰ２）の面積と同じにするために、第１有効部（ＡＰ１）の幅より第２有効部（ＡＰ２）の幅を小さくすることができる。一方、先に説明したように、第１距離（Ｄ１）より第２距離（Ｄ２）が、さらに大きくて第１重畳部（ＯＰ１）の幅より第２重畳部（ＯＰ２）の幅が大きくなることがある。このとき、第１傾斜部１２ａは、長軸方向での両側端部の部分で、小さい面積を有する一方、非切断面（ＮＣＳ）との安定性を確保するために、第２距離（Ｄ２）は、第１距離（Ｄ１）より相対的大きな違いを有することができる。したがって、第１傾斜部１２ａに対応する面積を確保するための第１有効部（ＡＰ１）の幅と第２有効部（ＡＰ２）の幅の差（すなわち、第１有効部（ＡＰ１）の幅で第２有効部（ＡＰ２）の幅を引いた値）より第２距離（Ｄ２）と、第１距離（Ｄ１）の差（すなわち、第２距離（Ｄ２）から第１距離（Ｄ１）を引いた値）が大きくなる。これにより、第１太陽電池１０ａに比べて、第２太陽電池１０bは、第１有効部（ＡＰ１）より相対的に小さな差で小さな幅を有する第２有効部（ＡＰ２）を備え、第１重畳部（ＯＰ１）より相対的に大きい差で大きな幅を有する第２重畳部（ＯＰ２）を備えるので、短縮方向での第１太陽電池１０ａの第１幅（Ｗ１）より第２太陽電池１０ｂの第２幅（Ｗ２）が大きくなる。これによると、第１及び第２有効部（ＡＰ１、ＡＰ２）の面積を同じにしながら、非切断面（ＮＣＳ）に隣接する領域に第２重畳部（ＯＰ２）を備える第２太陽電池１０bからの安定性を大きく向上することができる。
【００７３】
そして、第３太陽電池１０ｃは、傾斜部（１２a、１２ｂ）を備えない点で、第１太陽電池１０ａと差がある。そして第３太陽電池１０ｃは、傾斜部（１２a、１２ｂ）を備えない点及び、切断面（ＣＳ）による第２端（Ｌ２）に隣接して第３バスバー電極４２３ｂが形成されるという点で、第２太陽電池１０bと差がある。つまり、切断面（ＣＳ）による第３太陽電池１０ｃの第２端（Ｌ２）と、これに隣接する第２太陽電池セル1０ｃの第３電極（一例として、第３バスバー電極４２３ｂ）との間の第３距離（Ｄ３）は、第１距離（Ｄ１）と実質的に同じであり、第２距離（Ｄ２）より小さいことがある。これにより、第３太陽電池１０ｃの第３重畳部（ＯＰ３）の幅（ＷＯ３）は、第１重畳部（ＯＰ１）の幅（ＷＯ１）と実質的に同一であり、第２重畳部（ＯＰ２）の幅（ＷＯ２）と実質的に同じか、それより小さいことがある。特に、第３重畳部（ＯＰ３）の幅（ＷＯ３）は、第２重畳部（ＯＰ２）の幅（ＷＯ２）より小さいことがある。
【００７４】
すなわち、第１太陽電池１０ａは、第１傾斜部１２ａを備えるが、第３太陽電池１０ｃは、傾斜部（１２ａ、１２ｂ）を備えないため、第３幅（Ｗ３）を第１幅（Ｗ１）より小さくして、第３有効部（ＡＰ３）の面積と、第１有効部（ＡＰ１）の面積を同一またはこれと類似のレベルになるようにすることができる。特に、第３重畳部（ＯＰ３）の幅（ＷＯ３）が第１重畳部（ＯＰ１）の幅（ＷＯ１）と実質的に同じなので、第３有効部（ＡＰ３）の幅（すなわち、第３幅（Ｗ３）から第３重畳部（ＯＰ３）の幅（ＷＯ３）を引いた値）を第１有効部（ＡＰ１）の幅（すなわち、第１幅（Ｗ１）で第１重畳部（ＯＰ１）の幅（ＷＯ１）を引いた値）より小さくすることができる。そして第２太陽電池１０bは、第２傾斜部１２ｂを備えますが、第３太陽電池１０ｃは、傾斜部（１２ａ、１２ｂ）を備えない第３距離（Ｄ３）が第２距離（Ｄ２）より小さいので、第３幅（Ｗ３）を第２幅（Ｗ２）より小さくして、第３有効部（ＡＰ３）の面積と第２有効部（ＡＰ２）の面積が同一又はこれと類似のレベルになるようにすることができる。一例として、第2及び第３有効部（ＡＰ２、ＡＰ３）は傾斜部（１２ａ、１２ｂ）を備えないため、第２有効部（ＡＰ２）の幅（すなわち、第２幅（Ｗ２）から第２重畳部（ＯＰ２）の幅（ＷＯ２）を引いた値）と第３有効部（ＡＰ３）の幅（すなわち、第３幅（Ｗ３）で第３重畳部（ＯＰ３）の幅（ＷＯ３）を引いた値）が同じことができる。代わりに、第２重畳部（ＯＰ２）の幅よりも第３重畳部（ＯＰ３）の幅を小さくして、第３幅（Ｗ３）を第２幅（Ｗ２）より小さくすることができる。
【００７５】
一例として、第１幅（Ｗ１）に対する第２幅（Ｗ２）の比率（Ｗ２/Ｗ１）が１．０１８乃至１．０５５で有り得、第３幅（Ｗ３）に対する第２幅（Ｗ２）の比（Ｗ２/Ｗ３）が１．０３６乃至１．１０５で有り得る。本実施の形態において、１つの母太陽電池から３つ〜１２個（一例として、３つ〜８個）に切断された太陽電池１０を使用することができるが、前述した割合は、これを考慮して、有効部（ＡＰ１、ＡＰ２、ＡＰ３）の面積が同一又はこれと類似のレベルになるようにする割合で限られたものである。一例として、第２幅（Ｗ２）と第１幅（Ｗ１）の差（Ｗ２−Ｗ１）が第１幅（Ｗ１）と第３幅（Ｗ３）の差（Ｗ１−Ｗ３）と同じかそれより大きくなることができる。これは、第２〜第３太陽電池（１０a、１０ｂ、１０ｃ）の形状、傾斜部（１２a、１２ｂ）と、バスバー電極４２ｂの位置などを考慮して、有効部（ＡＰ１、ＡＰ２、ＡＰ３）の面積を同一またはこれと類似のレベルになるようにするためである。しかし、本発明がこれに限定されるものではなく、第２幅（Ｗ２）と第１幅（Ｗ１）の差（Ｗ２−Ｗ１）より第１幅（Ｗ１）と第３幅（Ｗ３）の差（Ｗ１−Ｗ３ ）がさらに大きくなることがある。
【００７６】
すなわち、本実施の形態においては、１つの母太陽電池から１つの第１太陽電池１０ａと、１つの第２太陽電池１０bと、１つ乃至１０個（一例として、１つ〜６つ）の第３太陽電池１０ｃを製造することができる。このとき、１つの母太陽電池を切断して、３つ未満の太陽電池１０を製造すれば、短縮及び長軸を有する太陽電池１０による出力向上の効果が十分でないことがある。そして１つの母太陽電池を切断して１２個を超える（一例として、８個を超える）太陽電池１０を製造すれば、電極（４２、４４）の形成による材料費が増加し、太陽電池１０の幅があまりにも小さくなって損傷または不良などの問題が発生することができる。しかし、本発明がこれに限定されるものではない。
【００７７】
これにより、製造された第１〜第３太陽電池（１０ａ、１０ｂ、１０ｃ）のそれぞれは、長軸に沿った長さの短縮に伴う幅の長さの比率が２．５乃至１２．５（２．５乃至８．５）ことができる。本実施の形態においては、第１〜第３太陽電池（１０ａ、１０ｂ、１０ｃ）で短縮による幅が互いに異なり、製造工程での公差もあるので、長軸に沿った長さの短縮に伴う幅の長さの割合がこの前述した範囲内に属すると、１つの母太陽電池からの３つ〜１２個（一例として、３つ〜８個）の太陽電池１０を製造したと判断することができるからである。
【００７８】
本実施の形態に係れば、傾斜部（１２a、１２ｂ）及び電極（４２、４４）（特に、前面に位置する前面電極４２のバスバー電極４２ｂまたは前面からの重畳部（ＯＰ） ）の位置を考慮して形状、幅などを設計することにより、光電変換面積を同じにすることができる。それでは、互いに異なる形状を有する複数の太陽電池１０で同じ量の電流が流れるようにして損失される電流の量を最小化することができる。これにより、太陽電池パネル１００の出力を向上することができる。特に、本実施の形態が傾斜部（１２a、１２ｂ）が反対側に位置するが、前面電極４２のバスバー電極４２ｂまたは前面からの重畳部（ＯＰ）が同じ側に形成された第１及び第２太陽電池（１０a、１０ｂ）を備えた場合に適用されると、製造工程を単純化しながらも、光電変換面積を互いに同一にすることができる。
【００７９】
反面、従来には一例として母太陽電池で傾斜部が互いに反対側に位置する第１及び第２太陽電池で電極のバスバー電極を互いに反対側に位置するように形成した後、これらを接続する際に、第１及び第２太陽電池の内、いずれか１つを回転させて傾斜部及びバスバー電極が同じ位置に位置するようにした。たとえば、母太陽電池においては、第１及び第２太陽電池において、バスバー電極の全てを傾斜部と遠く位置した長軸端に隣接して形成し互いに対称されるように配置され、回転後に、互いに同じ形状を有する。それでは、母太陽電池の製造及び切断の後に、これらを接続するとき、第１及び第２太陽電池のいずれか１つを回転させる工程を追加しなければならなので、製造工程が非常に複雑になる問題があった。
【００８０】
そして、第１及び第２太陽電池の幅が互いに同一であり、第３太陽電池の幅も第１及び第２太陽電池と同じであることができる。したがって、従来、第１及び第２太陽電池の互いに異なる側にバスバー電極を形成しても、第１及び第２太陽電池の幅が同じで、これらを接続して太陽電池のストリングを形成すれば、第１〜第３太陽電池で生成される電流の量が変わるようになる。それでは、最も小さな電流の量に電流が流れるようになるので、それより多くの量の電流が生成された太陽電池においては、超過して生成された電流は使用されなくなる。したがって、太陽電池パネルの出力が低下することができる。
【００８１】
これとは異なり、本実施の形態においては、第１太陽電池１０ａと第２太陽電池１０ｂで傾斜部（１２a、１２ｂ）が短縮方向に見るとき、互いに対称される位置に位置した状態で接続するので、これらの内、いずれか１つを回転させる工程を省略することができる。代わりに、傾斜部（１２a、１２ｂ）、または切断面（ＣＳ）（または非切断面（ＮＣＳ））と前面電極４２のバスバー電極４２ｂの相対的な位置が互いに異なるので、これを考慮して、第１及び第2太陽電池（１０a、１０ｂ）を非対称形状又は互いに異なる幅で形成して光電変換面積が同一になるようにしたものである。そして第３太陽電池１０ｃもまた、その形状を考慮して、第１及び第２太陽電池（１０a、１０ｂ）より小さい幅で形成して、第１〜第３太陽電池（１０ａ、１０ｂ、１０ｃ）の光電変換面積を全体的に同一または類似のレベルに維持することができる。
【００８２】
そして、一例として、第１太陽電池１０ａの一側（図の左側）と、これに隣接するフィンガー電極４２ａの一側端部との間の距離が第１距離（Ｄ１）と実質的に同一（一例として、１０％以内の誤差）するか、これより大きくなることがある。さらに具体的には、第１太陽電池１０ａの一側とこれに隣接するフィンガー電極４２ａの一側端部との間の距離が第１距離（Ｄ１）より大きくなることがある。これは、第１太陽電池１０ａからフィンガー電極４２ａの一側端部は、非切断面（ＮＣＳ）に隣接して位置し、第１電極（一例として、第１バスバー電極４２１ｂ）の他側端部は、切断面（ＣＳ）に隣接して位置したからである。そして第２太陽電池１０bの一側とこれに隣接するフィンガー電極４２ａの一側端部との間の距離が第２距離（Ｄ２）と実質的に同一（一例として、１０％以内の誤差）するか、またはこれより小さいことがある。具体的には、第２太陽電池１０ｂの一側とこれに隣接するフィンガー電極４２ａの一側端部との間の距離が第２距離（Ｄ２）より小さいことがある。これは第２太陽電池１０bからフィンガー電極４２ａの一側端部は、切断面（ＣＳ）に隣接して位置し、第２電極（一例として、第２バスバー電極４２２ｂの他側端部は、非切断面（ＮＣＳ）に隣接して位置したからである。第３太陽電池１０ｃの一側とこれに隣接するフィンガー電極４２ａの一側端部との間の距離が第３距離（Ｄ３）と実質的に同一（一例として１０％以内の誤差）を有することができる。これは、第３太陽電池１０ｃでフィンガー電極４２ａの一側端部及び第３バスバー電極４２２ｂがすべて切断面（ＣＳ）に隣接して位置したからである。しかし、本発明は、これに限定されるものではない。したがって、第１、第２、または第３太陽電池（１０ａ、１０ｂ、１０ｃ）の一側とフィンガー電極４２ａの一側端部との間の距離は、第１、第２、または第３距離（Ｄ１、Ｄ２、Ｄ３）と同じであることもあり、第１、第２、または第３距離（Ｄ１、Ｄ２、Ｄ３）より小さいかそれより大きいことができる。
【００８３】
前述した説明においては、前面電極４２または後面電極４４がバスバー電極（４２ｂ、４４ｂ）を備えることを例示した。しかし、本発明がこれに限定されるものではない。
【００８４】
したがって一変形例として、図６に示すように、前面電極４２がバスバー電極４２ｂを備えないことも可能である。この場合には、重畳部（ＯＰ）においては、短縮に沿って並行するように形成された複数のフィンガー電極４２ａが長軸で互いに離隔して位置することができ、接続部材１４２は、重畳部（ＯＰ）に位置する複数のフィンガー電極４２ａの部分に接続することができる。例えば、接続部材１４２は、複数のフィンガー電極４２ａ及びこれらの間に位置する第１絶縁膜に接触して位置することができる。このような構造によれば、バスバー電極４２ｂを除去して材料コストを削減し、重畳部（ＯＰ）の幅を最小化することができる。
【００８５】
このように、バスバー電極４２ｂが備えられてない場合でも、接続部材１４２を安定的に位置させるために、第１または第３太陽電池（１０ａ、１０ｃ）の他側（図の右側）に位置した第１または第３重畳部（ＯＰ１、ＯＰ３）に隣接するフィンガー電極４２ａの他側端部と他側との間の第１または第３距離（Ｄ１、Ｄ３）と第２太陽電池１０bの他側に位置する第２重畳部（ＯＰ２）に隣接するフィンガー電極４２ａの他側端部と他側との間の第２距離（Ｄ２）が互いに異なることができる。一例として、先に説明したように、第１または第３距離（Ｄ１、Ｄ３）より第２距離（Ｄ２）がさらに大きくなることができる。これにより、図６を参照した本変形例に係る場合にも、第１〜第３太陽電池（１０ａ、１０ｂ、１０ｃ）（またはこれに含まれる第１〜第３有効部（ＡＰ１、ＡＰ２、ＡＰ３）及び第１〜第３重畳部（ＯＰ１、ＯＰ２、ＯＰ３）の幅が図５を参照した前述した実施の形態で説明したものと同じ関係を有することができる。
【００８６】
図６及び説明においては、前面電極４２を中心に説明したが、後面電極がバスバー電極を備えずに、重畳部（ＯＰ）で互いに離隔される複数のフィンガー電極を含むことができる。この場合には、重畳部（ＯＰ）においては、短縮に沿って形成された後面電極の複数のフィンガー電極が長軸で互いに離隔して位置することができ、接続部材１４２は、重畳部（ＯＰ）に位置する後面電極の複数のフィンガー電極の部分に接続することができる。例えば、接続部材１４２は、後面電極の複数のフィンガー電極及びこれらの間に位置する第２絶縁膜に接触して位置することができる。
【００８７】
前述したところに従った特徴、構造、効果などは、本発明の少なくとも一つの実施の形態に含まれ、必ずしも一つの実施の形態のみに限定されるものではない。さらに、各実施の形態において例示された特徴、構造、効果などは、実施の形態が属する分野の通常の知識を有する者によって他の実施の形態に対しても組み合わせ、または変形して実施可能である。したがって、このような組み合わせと変形に係る内容は、本発明の範囲に含まれるものと解釈されるべきである。
【図１】
2019050375.tif 000003
【図２】
2019050375.tif 000004
【図３】
2019050375.tif 000005
【図４】
2019050375.tif 000006
【図５】
2019050375.tif 000007
【図６】
2019050375.tif 000008